(57)【特許請求の範囲】
【請求項１】
折りたたみ可能なハンガーであって、衣服の肩部に接する１対の肩部本体はその一端部で吊下げ用のフックと共に第１の結合ピンにより回動可能に一体に連結され、さらに一方の肩部本体の他端部には、１対の連結部材がその一端部で第２の結合ピンにより互いに回動可能に連結されてなる連結体の一端部が、第３の結合ピンにより回動可能に連結されると共に、他方の肩部本体の他端部には前記連結体の他端部が第４の結合ピンにより回動可能に連結されたハンガーにおいて、
前記第２の結合ピン周りの各連結部材にはＵ字形の板ばねをその端部がそれぞれ取り付けられる状態に設けると共に、第２の結合ピン付近の各連結部材の端部には回動制限部を設け、両連結部材間の角度が所定角度位置に達したとき、これらが互いに当接することによりそれ以上回動しないようにしたことを特徴とするハンガー。
【請求項２】
請求項１記載のハンガーにおいて、両連結部材間の角度が両連結部材が略一直線に位置
する状態の角度位置に達したとき、各連結部材の端部に設けた前記回動制限部同士が当接
し、各連結部材はそれ以上回動しないようにしたことを特徴とするハンガー。
【請求項３】
請求項１または２記載のハンガーにおいて、各肩部本体には上縁側に衣服のずれを防止するための凹凸部を設けるようにしたことを特徴とするハンガー。
【発明の詳細な説明】
【技術分野】
【０００１】  本発明は、衣服のハンガーに関するものであり、特にハンガー自体の肩幅を自在に変化させ得るようにした折りたたみ可能なハンガーに関するものである。
本発明のハンガーは、例えばＴシャツなどのように首回りサイズの比較的小さい衣服を掛けるときでも、襟に無理が掛からず好適に使用できる。
【背景技術】
【０００２】  ハンガーの肩幅の調整可能な従来技術として、特許文献１記載の技術等が存在する。
これは、吊下げ用のフック部と、フック部に支持された肩部本体をその長手方向に往復移動可能とすることで肩幅を調整できるようにしたものである。
【先行技術文献】
【特許文献】
【０００３】
【特許文献１】特開平１１−３１８６８４号公報
【発明の概要】
【発明が解決しようとする課題】
【０００４】  従来の固定式のハンガーでは、ハンガーの肩幅がＴシャツの首回りのサイズより広いため、ハンガーにＴシャツなどを掛けるときに襟首部分に無理がかかり、襟がのびてしまう等の問題点がある。【０００５】  一方、前記特許文献１には肩幅の長さが調節できるハンガーの発明が示されているが、これは、肩部可動部分の長さを調整し、ハンガー自体の長さを調整するものであり、構造が複雑で破損しやすく、また調整が面倒であるなどの問題点がある。また、衣類を掛けるとき、両手でハンガーの端を出し入れして幅を調整する必要があり、肩幅調整に時間を要する等の問題点がある。
【課題を解決するための手段】
【０００６】
本発明はこのような問題点を解決するため、次のように構成される。
（１）  折りたたみ可能なハンガーであって、衣服の肩部に接する１対の肩部本体はその一端部で吊下げ用のフックと共に第１の結合ピンにより回動可能に一体に連結され、さらに一方の肩部本体の他端部には、１対の連結部材がその一端部で第２の結合ピンにより互いに回動可能に連結されてなる連結体の一端部が、第３の結合ピンにより回動可能に連結されると共に、他方の肩部本体の他端部には前記連結体の他端部が第４の結合ピンにより回動可能に連結されたハンガーにおいて、
前記第２の結合ピン周りの各連結部材にはＵ字形の板ばねをその端部がそれぞれ取り付けられる状態に設けると共に、第２の結合ピン付近の各連結部材の端部には回動制限部を設け、両連結部材間の角度が所定角度位置に達したとき、これらが互いに当接することによりそれ以上回動しないようにしたことを特徴とするハンガー。
（２）（１）項記載のハンガーにおいて、両連結部材間の角度が両連結部材が略一直線に位置
する状態の角度位置に達したとき、各連結部材の端部に設けた前記回動制限部同士が当接し、各連結部材はそれ以上回動しないようにしたことを特徴とするハンガー。
（３）  （１）項または（２）項記載のハンガーにおいて、各肩部本体には上縁側に衣服のずれを防止するための凹凸部を設けるようにしたことを特徴とするハンガー。
【発明の効果】
【０００７】  本発明は、構造簡単で故障し難く，調整が簡単で、使用容易で、製作も容易である。
また、肩部の幅を任意に調整できることにより、ハンガーに衣類を掛けるときや外すときに、肩部の幅を狭めることにより、衣類の襟首を引き延ばす等の負担をかけることがない。さらに、肩部本体の上側縁に凹凸部を設けることにより、衣類のずれ落ちを防止できる。
【図面の簡単な説明】
【０００８】
【図１】本発明のハンガーの実施例を示す正面図である。
【図２】（イ）は前記実施例の一部折りたたんだ状態を示す説明図であり、（ロ）は、同図（イ）におけるＡ部拡大詳細図である。
【図３】前記実施例のハンガーを折りたたんだ状態を示す説明図である。
【図４】衣類を着脱するときの使用状態を示す説明図である。
【図５】小さな衣類を干すときの使用状態を示す説明図である。
【図６】大きな衣類を干すときの使用状態を示す説明図である。
【図７】前記実施例の変形例を示す部分説明図である。
【発明を実施するための形態】
【０００９】  本発明は、１対の肩部本体の一端部をフックと共に回動可能に連結し、肩部本体の他端部間を、１対の連結部材同士がその一端部で回動可能に連結されてなる連結体により回動可能に連結され、かつ両連結部材はばねにより一定方向の回転力を生じさせるように付勢されているという簡単な構成で前記目的を達成できる。
【実施例】
【００１０】  図１、図２において１０は本発明の実施例を示す折りたたみ可能なハンガーである。１対の肩部本体１２，１４は両端部がそれぞれ円形板状をなしており、回動ピン取付け用の孔（図示省略）が形成されている。各肩部本体１２，１４はその一端部で重ね合わされ、吊下げ用のフック１６と共に第１の０結合ピンとしての回動ピン１８が挿通されて回転可動に連結されており、さらに肩部本体１２の他端部は，そこに重ね合わされた連結体２０の左側の端部と共に第３の結合ピンとしての回動ピン２２が挿通されて回動可能に連結され、同様に肩部本体１４の他端部は連結体２０の右側の端部と共に第４の結合ピンとしての回動ピン２４が挿通されて回動可能に連結されている。【００１１】  連結体２０は連結部材２６，２８が第２の結合ピンとしての回動ピン３０により回動可能に連結されてなると共に、回動ピン３０の付近には、ばねの掛止め用の突部３２，３４が設けられ、ねじりコイルばね３６が取り付けられている。これにより、各連結部材２６、２８には、図２（ロ）に示すように、矢印方向の回転力が生ずるように付勢される。
すなわち、左側の連結部材２６には時計方向に、右側の連結部材２８には反時計方向に回転力が付勢される。【００１２】  この場合、連結部材２６、２８の両端部は、それぞれ肩部本体１２，１４に連結され、下方には移動できないので、回動ピン３０側の端部は下向きに移動することになる。しかし、連結部材３２，３４の端部には，図２（ロ）に示すように回動制限突部３８、４０が突設され、連結部材３２，３４が略一直線上に並んだとき、当接するようにされれているので、結部材２６，２８は停止する。勿論、連結部材２６，２８のそれぞれの外側の端部は、前記一直線の状態より多少上、あるいは下の位置で停止するようにしてもよい。
これにより、重い衣服を掛けた場合でも、連結部材２６と２８、肩部本体１２と１４が閉じることがなく、衣服がずり落ちることはない。なお、各連結部材２６，２８は、両端部が前記肩部本体１２，１４と同様に円形板状をなしている。
肩部本体１２，１４の上側縁には凹凸部３７が設けられ，衣類のずれ落ち防止を図っている。【００１３】  肩部本体１２，１４に閉じる方向の力を加えれば、図３に示すようにハンガー１０を折りたたむことができる。この状態では、図４に示すように簡単に衣類４４に挿入できる。挿入後、手を離すとねじりコイルばね３６の力により連結部材２６，２８が戻ろうとするがハンガー１０より小さなサイズの衣類４６の場合は、図５に示すようにその大きさに合わせてハンガー１０の大きさが固定される。  図６に大きな衣類４８を干すときのハンガーの状態を示す。手を離すとばね３６の力により連結部材２６，２８が水平に戻り、ハンガー１０の大きさが最大まで開く。【００１４】  前記実施例では、ねじりコイルばね３６は、図２（ロ）に示すように回動ピン３０の外側の延長軸部にばね３６のコイル部が挿通された状態に取付けされているが、この取り付け方に代えて、連結部材２６の端部を厚くすると共に内部を空洞にし、その内側に突設された第２の結合ピンとしての回動ピンに、ばね３６のコイル部を挿通した状態に内蔵し、かつコイル部から掛止め部に至る部分の動きに支障のないように連結部２６の端部縁を切り欠くようにしてもよい。
また、前記実施例にけるねじりコイルばね３６に代えて、図７に示すようにＵ字状の板ばね４２を使用することも可能である。
【符号の説明】
【００１５】１０  ハンガー
１２、１４  肩部本体
１６  フック
１８  回動ピン（第１の結合ピン）
２０  連結体
２２  回動ピン（第３の結合ピン）
２４  回動ピン（第４の結合ピン）
２６  連結部材（左側）
２８  連結部材（右側）
３０  回動ピン（第２の結合ピン）
３６  ねじりコイルばね
３８  回動制限突部
４０  回動制限突部
４８  板ばね
【図１】
0005492363.tif 000002
【図２】
0005492363.tif 000003
【図３】
0005492363.tif 000004
【図４】
0005492363.tif 000005
【図５】
0005492363.tif 000006
【図６】
0005492363.tif 000007
【図７】
0005492363.tif 000008